(57)【要約】      （修正有）【課題】安全性の向上を図ることができる医療用電子機器を提供する。【解決手段】医療用電子機器１０は、電池収納部１２、電池蓋１３、電池蓋ノブ１４、第１係止部１６、第２係止部１７とを備え、電池蓋ノブ１４が初期位置にあるときに第１係止部１６および第２係止部１７が互いに係止するとともに、電池蓋ノブ１４が初期位置から所定位置までスライドしたときに第１係止部１６および第２係止部１７の係止が解除される係止手段と、電池蓋ノブ１４の端部１５と筺体１１とにまたがって設けられ、外部入力端子が挿入可能な挿入孔とを有し、電池蓋ノブ１４を初期位置から所定位置までスライドさせると、筺体１１から外部入力端子の挿入方向と反対方向に電池蓋ノブ１４の端部１５が突出するとともに、第１係止部１６および第２係止部１７の係止が解除されて電池蓋１３が開放可能とする。【選択図】図４
2010073393.tif 000002
【特許請求の範囲】
【請求項１】
電池を収納するための電池収納部を備える筺体と、
前記電池収納部に開閉可能に配設される電池蓋と、
前記筺体の表面上をスライドすることにより端部が前記筺体から突出する電池蓋ノブと、
前記電池蓋に設けられた第１係止部と、前記電池蓋ノブに設けられた第２係止部とを備え、前記電池蓋ノブが初期位置にあるときに前記第１係止部および前記第２係止部が互いに係止するとともに、前記電池蓋ノブが前記初期位置から所定位置までスライドしたときに前記第１係止部および前記第２係止部の係止が解除される係止手段と、
前記電池蓋ノブの前記端部と前記筺体とにまたがって設けられ、外部入力端子が挿入可能な挿入孔とを有し、
前記電池蓋ノブを前記初期位置から前記所定位置までスライドさせると、前記筺体から前記外部入力端子の挿入方向と反対方向に前記電池蓋ノブの前記端部が突出するとともに、前記第１係止部および前記第２係止部の係止が解除されて前記電池蓋が開放可能となる、医療用電子機器。
【請求項２】
前記電池蓋ノブの前記端部が前記筺体から突出すると、前記挿入孔に挿入されていた前記外部入力端子が電気的な接続を遮断される位置まで前記挿入孔とは反対側に押し出される、請求項２記載の医療用電子機器。
【請求項３】
前記電池蓋ノブが前記初期位置に配置された場合、前記挿入孔の入口は略同一面を形成するが、前記電池蓋ノブが前記所定位置までスライドした場合、前記挿入孔の入口は２以上の面を形成する、請求項１または２記載の医療用電子機器。
【請求項４】
前記電池蓋と前記電池蓋ノブとは隣接している、請求項１から３のいずれかに記載の医療用電子機器。
【請求項５】
電池を収納するための電池収納部を備える筺体と、
前記電池収納部を露出させるための係止手段と、
前記筺体の表面に設けられ、外部入力端子が挿入可能な挿入孔とを有し、
前記筺体の一部を前記筺体の表面に沿って前記筺体から突出するまでスライドさせると、前記挿入孔の周部が前記外部入力端子の挿入方向と反対方向に突出するとともに、前記電池収納部が露出可能となる、医療用電子機器。
【請求項６】
前記筺体の表面を形成するとともに面上をスライドすることにより端部が前記筺体から突出する電池蓋ノブを有するとともに、
前記挿入孔が、前記電池蓋ノブの前記端部と前記筺体の表面とにまたがって設けられ、
前記係止手段が、前記筺体に設けられた第１係止部と、前記電池蓋ノブに設けられた第２係止部とを備え、
前記電池蓋ノブが初期位置にあるときに前記第１係止部および前記第２係止部が互いに係止するとともに、前記電池蓋ノブが前記初期位置から所定位置までスライドしたときに前記第１係止部および前記第２係止部の係止が解除される、請求項５記載の医療用電子機器。
【請求項７】
電池を収納するための電池収納部と、
前記電池収納部に設けられた電池接続用端子と、
前記電池収納部用の電池蓋と、
外部入力端子と接続されて外部機器からの信号を入力するための受側端子と、
前記電池蓋の開蓋時に、前記受側端子と前記電池接続用端子との電気的導通を遮断する遮断部とを有する、医療用電子機器。
【発明の詳細な説明】
【技術分野】
【０００１】
本発明は、集音した音声を増幅して出力することにより補聴機能を補う補聴器等の医療用電子機器に関し、特に外部入力端子を通じて外部からの音声信号を入力する医療用電子機器に関する。
【背景技術】
【０００２】
従来の医療用電子機器の一例として、電源スイッチがオフ位置にあるときにのみ、開閉操作部材の開閉操作を可能とする安全機構を備えた医療用電子機器が知られている（例えば、特許文献１参照）。
このような医療用電子機器は、電源スイッチがオン位置にあるときに、電池蓋開閉ボタンを押しても電池蓋が開かず、電源スイッチがオフ位置にあると、電池蓋開閉ボタンを押せることにより電池蓋が開くようになっている。
【特許文献１】特開平２−５６８５０号公報（図１）
【発明の開示】
【発明が解決しようとする課題】
【０００３】
ところで、近年、補聴器等の医療用電子機器の多様化に伴い、医療用電子機器に外部入力端子を挿入できるようにして、例えばテレビや音楽音源等の外部機器からの音声信号も増幅処理して使用者が聞けるようになってきている。
ところが、上記特許文献１に開示された医療用電子機器に外部入力端子接続用の入力端子を装備して外部入力端子を接続した場合、電源スイッチがオフ位置にあるときに電池蓋開閉ボタンを押せることにより電池蓋が開く。
そこで、使用者が電池を交換しようとして、開いている電池蓋の中に指を差し込み、電池に接続されている電池接続用端子に触れた場合、万が一に、電池接続用端子に外部機器からの漏れ電流が含まれていると、使用者に電気的なショックを与えかねない。
【０００４】
本発明は、前述した要望を満たすためになされたもので、その目的は、安全性の向上を図ることができる医療用電子機器を提供することにある。
【課題を解決するための手段】
【０００５】
本発明の医療用電子機器は、電池を収納するための電池収納部を備える筺体と、前記電池収納部に開閉可能に配設される電池蓋と、前記筺体の表面上をスライドすることにより端部が前記筺体から突出する電池蓋ノブと、前記電池蓋に設けられた第１係止部と、前記電池蓋ノブに設けられた第２係止部とを備え、前記電池蓋ノブが初期位置にあるときに前記第１係止部および前記第２係止部が互いに係止するとともに、前記電池蓋ノブが前記初期位置から所定位置までスライドしたときに前記第１係止部および前記第２係止部の係止が解除される係止手段と、前記電池蓋ノブの前記端部と前記筺体とにまたがって設けられ、外部入力端子が挿入可能な挿入孔とを有し、前記電池蓋ノブを前記初期位置から前記所定位置までスライドさせると、前記筺体から前記外部入力端子の挿入方向と反対方向に前記電池蓋ノブの前記端部が突出するとともに、前記第１係止部および前記第２係止部の係止が解除されて前記電池蓋が開放可能となることを特徴とする。
【０００６】
本発明においては、挿入孔を電池蓋ノブの端部と筺体とにまたがって設けており、電池蓋ノブを初期位置から所定位置までスライドさせることにより係止手段の係止の解除と同時に電池蓋ノブの端部を筺体から突出させる。
よって、例えば挿入孔に外部入力端子を挿入していた場合、電池蓋ノブの端部により外部入力端子を挿入孔から抜き出す方向に押し出すことができる。
すなわち、挿入孔に外部入力端子を挿入しているときに、電池蓋ノブのスライドに伴って外部入力端子が挿入孔から抜け出す方向に押し出されることにより、外部入力端子に外部機器からの漏れ電流が含まれていたとしても、外部機器との電気的な接続が遮断された状態において電池交換を安全に行うことができる。
【０００７】
本発明の医療用電子機器は、前記電池蓋ノブの前記端部が前記筺体から突出すると、前記挿入孔に挿入されていた前記外部入力端子が電気的な接続を遮断される位置まで前記挿入孔とは反対側に押し出されることを特徴とする。
【０００８】
本発明においては、電池蓋ノブの初期位置から所定位置までのスライドに伴い、外部入力端子の電気的な接続を確実に遮断することができる。
【０００９】
本発明の医療用電子機器は、前記電池蓋ノブが前記初期位置に配置された場合、前記挿入孔の入口は略同一面を形成するが、前記電池蓋ノブが前記所定位置までスライドした場合、前記挿入孔の入口は２以上の面を形成することを特徴とする。
【００１０】
本発明においては、挿入孔は、電池蓋ノブの初期位置において略同一面の入口を形成して外部入力端子を挿入可能とし、これとは異なり、電池蓋ノブの所定位置において２以上の面の入口を形成して外部入力端子を押し出すことができる。
【００１１】
本発明の医療用電子機器は、前記電池蓋と前記電池蓋ノブとは隣接していることを特徴とする。
【００１２】
本発明においては、電池蓋の第１係止部と電池蓋ノブの第２係止部とを隣接して配置することにより、電池蓋ノブに与えられる応力をロスなく電池蓋に作用させて確実な開蓋動作を行うことができる。
【００１３】
本発明の医療用電子機器は、電池を収納するための電池収納部を備える筺体と、前記電池収納部を露出させるための係止手段と、前記筺体の表面に設けられ、外部入力端子が挿入可能な挿入孔とを有し、前記筺体の一部を前記筺体の表面に沿って前記筺体から突出するまでスライドさせると、前記挿入孔の周部が前記外部入力端子の挿入方向と反対方向に突出するとともに、前記電池収納部が露出可能となることを特徴とする。
【００１４】
本発明においては、筺体の一部を筺体の表面に沿って筺体から突出するまでスライドさせることにより、筺体の一部のスライドに伴い挿入孔の周部を外部入力端子の挿入方向と反対方向に突出させて電池収納部を露出させる。
よって、例えば挿入孔に外部入力端子を挿入していた場合、筺体の一部により外部入力端子を挿入孔から抜き出す方向に押し出すことにより、外部入力端子に外部機器からの漏れ電流が含まれていたとしても、外部機器との電気的な接続が遮断された状態において電池交換を安全に行うことができる。
【００１５】
本発明の医療用電子機器は、前記筺体の表面を形成するとともに面上をスライドすることにより端部が前記筺体から突出する電池蓋ノブを有するとともに、前記挿入孔が、前記電池蓋ノブの前記端部と前記筺体の表面とにまたがって設けられ、前記係止手段が、前記筺体に設けられた第１係止部と、前記電池蓋ノブに設けられた第２係止部とを備え、前記電池蓋ノブが初期位置にあるときに前記第１係止部および前記第２係止部が互いに係止するとともに、前記電池蓋ノブが前記初期位置から所定位置までスライドしたときに前記第１係止部および前記第２係止部の係止が解除されることを特徴とする。
【００１６】
本発明においては、筺体に第１係止部を備え、筺体の一部に相当する電池蓋ノブに第２係止部を備える。電池蓋ノブが初期位置にあるときに第１係止部および第２係止部を互いに係止させ、電池蓋ノブが初期位置から所定位置までスライドしたときに第１係止部および第２係止部の係止を解除する。
よって、電池蓋ノブを、電池収納部を露出させるために適用することにより、構造の簡素化を図ることができる。
【００１７】
本発明の医療用電子機器は、電池を収納するための電池収納部と、前記電池収納部に設けられた電池接続用端子と、前記電池収納部用の電池蓋と、外部入力端子と接続されて外部機器からの信号を入力するための受側端子と、前記電池蓋の開蓋時に、前記受側端子と前記電池接続用端子との電気的導通を遮断する遮断部とを有することを特徴とする。
【００１８】
本発明においては、遮断部は、電池蓋の開蓋時に受側端子と前記電池接続用端子との電気的導通を遮断する。
よって、例えば外部入力端子を接続していた場合、電池蓋の開蓋時に電池接続端子を受側端子から遮断することにより、外部入力端子に外部機器からの漏れ電流が含まれていたとしても、電池交換を安全に行うことができる。
【発明の効果】
【００１９】
本発明の医療用電子機器によれば、電池蓋に設けられた第１係止部と、電池蓋ノブに設けられた第２係止部とを備え、電池蓋ノブが初期位置にあるときに第１係止部および第２係止部が互いに係止するとともに、電池蓋ノブが初期位置から所定位置までスライドしたときに第１係止部および第２係止部の係止が解除される係止手段と、電池蓋ノブの端部と筺体とにまたがって設けられ、外部入力端子が挿入可能な挿入孔とを有し、電池蓋ノブを初期位置から所定位置までスライドさせると、筺体から外部入力端子の挿入方向と反対方向に電池蓋ノブの端部が突出するとともに、第１係止部および第２係止部の係止が解除されて電池蓋が開放可能となる。
これにより、安全性の向上を図ることができるという効果を有する。
【発明を実施するための最良の形態】
【００２０】
以下、本発明の複数の実施形態に係る医療用電子機器について、図面を参照して説明する。
【００２１】
（第１実施形態）
本発明の第１実施形態の医療用電子機器１０は、電池１を収納するための電池収納部１２を備える筺体１１と、電池収納部１２に開閉可能に配設される電池蓋１３と、筺体１１の表面上をスライドすることにより端部１５が筺体１１から突出する電池蓋ノブ１４と、電池蓋１３に設けられ係止手段の一方を形成する第１係止部１６と、電池蓋ノブ１４に設けられ係止手段の他方を形成する第２係止部１７と、電池蓋ノブ１４の端部１５と筺体１１とにまたがって設けられ外部入力端子２が挿入可能な挿入孔１８と、を備える。
【００２２】
図１、図２、図３、図４に示すように、筺体１１は、ロアケース１９と、アッパーケース２０と、を備える。
【００２３】
ロアケース１９は、硬質の樹脂材料を素材として正方形の箱形状に形成されている。ロアケース１９は、上部に、ボリュームダイヤル２１を装備しているとともに、ボリュームダイヤル２１の近傍にイヤホンプラグ２２を着脱自在に装着している。イヤホンプラグ２２はイヤホン電線２３を通じて不図示のイヤホンを電気的に接続している。イヤホンは使用者の耳に装着される。
【００２４】
ロアケース１９は、側部に挿入孔１８を有し、挿入孔１８の反対側にスイッチ２５を有する。挿入孔１８は、電池蓋ノブ１４の端部１５とロアケース１９とにまたがって設けられており、外部入力端子２が装着される。
【００２５】
挿入孔１８は、電池蓋ノブ１４の初期位置Ａ１において略同一面の入口を形成して外部入力端子２を挿入可能とし、これとは異なり、電池蓋ノブ１４の所定位置Ａ２において２以上の面の入口を形成して外部入力端子２を押し出す。
【００２６】
外部入力端子２は、それぞれ雄型端子である、接地用端子金具３と、左信号用端子金具４と、右信号用端子金具５を有し、これら端子金具３，４，５よりも大径の樹脂製の端子ボディ６と、外部入力用電線７と、を有する。外部入力用電線７は不図示のテレビや音楽音源等の外部機器に電気的に接続され、これら端子金具３，４，５を通じて医療用電子機器１０内に外部機器からの音声信号を入力する。
【００２７】
ロアケース１９は、電池蓋１３を配置する部分に電池収納部１２を有する。電池収納部１２には、一対の電池接続用端子２６，２７を設けており、電池収納部１２に電池１を収納することにより、電池１を電池接続用端子２６，２７にそれぞれ電気的に接続する。
【００２８】
アッパーケース２０は、ロアケース１９と同様に硬質の樹脂材料を素材として成形されており、ロアケース１９のボリュームダイヤル２１側の上面のほぼ２／３を覆ってロアケース１９に組み付けられている。
【００２９】
電池蓋１３は、ロアケース１９の上面の残りのほぼ１／３を覆うようにロアケース１９に組み付けられている。電池蓋１３は、ロアケース１９におけるボリュームダイヤル２１の反対側にヒンジ部材２８を介して電池収納部１２を開閉自在に連結されており、不図示の戻しばね等により常開方向に付勢されている。
【００３０】
電池蓋１３は、ヒンジ部材２８の反対側の端部に第１係止部１６を形成している。電池蓋ノブ１４は、薄肉の板形状に成形されてアッパーケース２０の電池蓋１３に隣接して挿入孔１８上に配置されている。
【００３１】
電池蓋ノブ１４は、電池蓋１３側の側部に第２係止部１７を形成している。電池蓋ノブ１４は、スライド方向の先端側の端部１５に、挿入孔１８の外側を覆う凹形状の切欠２９を有する。
【００３２】
電池蓋ノブ１４はアッパーケース２０上を電池蓋１３の開閉方向に直交する側方に、初期位置Ａ１から所定位置Ａ２に向けてスライド移動自在にアッパーケース２０に組み付けられており、所定位置Ａ２までスライド移動することにより、その端部１５をロアケース１９から突出させる。
【００３３】
図５、図６にも示すように、ロアケース１１内には、それぞれ不図示の集音回路や増幅回路等を有する制御回路部３０を実装した回路基板３１を収納している。回路基板３１には、電池接続用端子２６，２７がそれぞれ電気的に接続されている。
【００３４】
図７にも示すように、電池蓋１３の第１係止部１６は矩形の切欠形状に形成されている。
【００３５】
図８にも示すように、電池蓋ノブ１４は、電池蓋１３側の側部とアッパーケース２０側の側部とに、一対のスライドガイド突起（アッパーケース１２側は図示しない。）３２を突出形成している。第２係止部１７は、板形状に電池蓋１３側に突出形成されている。
【００３６】
次に、図９、図１０、図１１、図１２、図１３を参照して、第１実施形態の医療用電子機器１０の詳細および動作について説明する。
【００３７】
図９にも示すように、挿入孔１８は入力端子３６に形成されており、挿入孔１８内の各端子金具３，４，５に対応した位置に、それぞれ雌型端子である、接地用受側端子金具３３と、左信号用受側端子金具３４と、右信号用受側端子金具３５と、を内装している。各受側端子金具３３，３４，３５は回路基板３１に電気的に接続されている。
【００３８】
電池蓋ノブ１４は、その裏側のアッパーケース２０との間に戻しばね３７を組み付けているために、戻しばね３７によって初期位置Ａ１に常時付勢されている。そのため、電池蓋ノブ１４が初期位置Ａ１に位置することにより、電池蓋ノブ１４の第２係止部１７は電池蓋１３の第１係止部１６に係止されていて電池蓋１３は開蓋しない。
【００３９】
外部入力端子２が入力端子３６の挿入孔１８に装着されてないときに、戻しばね３７に抗して電池蓋ノブ１４を初期位置Ａ１から開蓋位置Ａ２に向けてスライドさせることにより、電池蓋ノブ１４の第２係止部１７が電池蓋１３の第２係止部１６から離脱するために、電池蓋１３は戻しばねによって開蓋する。
【００４０】
図１０、図１１にも示すように、外部入力端子２が入力端子３６の挿入孔１８に装着されることにより、外部入力端子２の各端子金具３，４，５が入力端子３６の各受側端子金具３３，３４，３５を通じて制御回路部３０にそれぞれ電気的に接続される。
【００４１】
使用者は、イヤホンを耳に装着してから、スイッチ２５をオン切換えして、好みのボリューム位置までボリュームダイヤル２１を回すことにより、イヤホンを通じて外部入力端子２に接続されている外部機器の音声を増幅して聞くことができる。
【００４２】
電池蓋ノブ１４の第２係止部１７は電池蓋１３の第１係止部１６に係止しているために、電池蓋１３は開蓋されずに閉状態を保持されている。
【００４３】
図１２、図１３にも示すように、外部入力端子２が入力端子３６の挿入孔１８に装着されている際に、使用者が電池１を交換するために、電池蓋ノブ１４を初期位置Ａ１から開蓋位置Ａ２に向けてスライドさせると、電池蓋ノブ１４の端部１５がロアケース１９から突出しながら外部入力端子２を抜き方向に押圧することになる。
これにより、外部入力端子２は入力端子３６から強制的に押し出されて、外部入力端子２の各端子金具３，４，５が入力端子３６の各受側端子金具３３，３４，３５から遮断される。
よって、外部入力端子２から入力されていた電力がカットオフされる。
【００４４】
そして、電池蓋ノブ１４の第２係止部１７が電池蓋１３の第１係止部１６から係止離脱されることにより、戻しばねによって電池蓋１３が開蓋される。
これにより、使用者が電池１の交換を行おうとして、電池収納部１２内の電池接続用端子２６，２７に触れたとしても、外部入力端子２から入力される電力に伴う漏れ電流が存在しないので、使用者に電気的ショックを与えないようにすることができる。
【００４５】
前述した第１実施形態の医療用電子機器１０によれば、挿入孔１８を電池蓋ノブ１４の端部１５とロアケース１９とにまたがって設けており、電池蓋ノブ１４を初期位置Ａ１から所定位置Ａ２までスライドさせることにより電池蓋ノブ１４の第２係止部１７と電池蓋１３の第２係止部１６との係止解除と同時に電池蓋ノブ１４の端部１５をロアケース１９から突出させる。
これにより、挿入孔１８に外部入力端子２を挿入していた場合、電池蓋ノブ１４の端部１５により外部入力端子２を挿入孔１８から抜き出す方向に押し出すことができる。
よって、挿入孔１８に外部入力端子２を挿入しているときに、電池蓋ノブ１４のスライドに伴って外部入力端子２が挿入孔１８から抜け出す方向に押し出されることにより、外部入力端子２に外部機器からの漏れ電流が含まれていたとしても、外部機器との電気的な接続が遮断された状態において電池交換を安全に行うことができる。
【００４６】
また、第１実施形態の医療用電子機器１０によれば、電池蓋ノブ１４の初期位置Ａ１から所定位置Ａ２までのスライドに伴い、外部入力端子２の電気的な接続を確実に遮断することができる。
【００４７】
そして、第１実施形態の医療用電子機器１０によれば、挿入孔１８は、電池蓋ノブ１４の初期位置Ａ１において略同一面の入口を形成して外部入力端子２を挿入可能とし、これとは異なり、電池蓋ノブ１４の所定位置Ａ２において２以上の面の入口を形成して外部入力端子２を押し出すことができる。
【００４８】
さらに、第１実施形態の医療用電子機器１０によれば、電池蓋１３の第１係止部１６と電池蓋ノブ１４の第２係止部１７とを隣接して配置することにより、電池蓋ノブ１４に与えられる応力をロスなく電池蓋１３に作用させて確実な開蓋動作を行うことができる。
【００４９】
加えて、第１実施形態の医療用電子機器１０によれば、遮断部は、電池蓋の開蓋時に受側端子と前記電池接続用端子との電気的導通を遮断する。
よって、例えば外部入力端子を接続していた場合、電池蓋の開蓋時に電池接続端子を受側端子から遮断することにより、外部入力端子に外部機器からの漏れ電流が含まれていたとしても、電池交換を安全に行うことができる。
【００５０】
（第２実施形態）
次に、本発明の第２実施形態の医療用電子機器について説明する。なお、以下の各実施形態において、上述した第１実施形態と重複する構成要素や機能的に同様な構成要素については、図中に同一符号あるいは相当符号を付することによって説明を簡略化あるいは省略する。
【００５１】
図１４に示すように、本発明の第２実施形態の医療用電子機器４０は、電池蓋１３から離れたアッパーケース１２の中央部に入力端子３６を配置し、この外部入力端子２上に電池蓋ノブ４１を配置している。
【００５２】
電池蓋ノブ４１には、アッパーケース１２の中央部から電池蓋１３の第１係止部１６に係止可能な第２係止部４２を突出形成している。
【００５３】
第２実施形態の医療用電子機器４０は、第１実施形態と同様の作用効果を奏する。特に本実施形態によれば、電池蓋ノブ４１を電池蓋１３から離れた位置に配置したことにより、電池蓋ノブ４１を操作したときに、電池蓋ノブ４１から離れた位置で電池蓋１３が開蓋されるために、電池蓋ノブ４１を操作している使用者の指に電池蓋１３を引っ掛けることなく開蓋させることができる。
【００５４】
（第３実施形態）
次に、本発明の第３実施形態の医療用電子機器について説明する。
【００５５】
図１５、図１６に示すように、本発明の第３実施形態の医療用電子機器５０は、電池蓋ノブを一体化した電池蓋５１を備え、電池収納部１２の側部に挿入孔１８を有する入力端子３６を配置している。
【００５６】
電池蓋５１は、アッパーケース２０に対して図１５中矢印方向にスライド移動自在にロアケース１９に組み付けられており、その端部５２に、入力端子３６の外側を覆う凹形状の切欠５３を有する。電池蓋５１は不図示の第２係止部を有し、第２係止部をロアケース１９に有する不図示の第１係止部に係止可能である。
【００５７】
このような医療用電子機器５０は、入力端子３６に外部入力端子２が装着されている際に、電池蓋５１を初期位置Ａ１から開蓋位置Ａ１に向けてスライドさせると、電池蓋５１の端部５２をロアケース１９から突出させながら、端部５２を外部入力端子２の抜き方向に押圧する。
これにより、外部入力端子２は入力端子３６から外れて外部入力端子２の各端子金具３，４，５が入力端子３６の各受側端子金具３３，３４，３５から遮断される。
よって、外部入力端子２から入力されていた電力がカットオフされる。
【００５８】
電池蓋５１が開蓋位置Ａ２に移動したことにより、電池蓋５１はロアケース１９上を移動して開蓋される。
これにより、使用者が電池１の交換を行おうとして、電池収納部１２内の電池接続用端子２６，２７に触れたとしても、外部入力端子２から入力される電力に伴う漏れ電流が存在しないので、使用者に電気的ショックを与えないようにすることができる。
【００５９】
第３実施形態の医療用電子機器５０は、第１実施形態と同様の作用効果を奏する。特に本実施形態によれば、電池蓋ノブを一体化した電池蓋５１を備えることにより、電池蓋ノブへの操作を行わずに、簡単に電池蓋５１を開蓋することができる。
【００６０】
また、第３実施形態の医療用電子機器５０によれば、電池蓋ノブを一体に有する電池蓋５１をロアケース１９の表面に沿ってロアケース１９から突出するまでスライドさせることにより、電池蓋５１のスライドに伴い挿入孔１８の周部を外部入力端子２の挿入方向と反対方向に突出させて電池収納部１２を露出させる。
これにより、挿入孔１８に外部入力端子２を挿入していた場合、電池蓋５１により外部入力端子２を挿入孔１８から抜き出す方向に押し出すことにより、外部入力端子２に外部機器からの漏れ電流が含まれていたとしても、外部機器との電気的な接続が遮断された状態において電池交換を安全に行うことができる。
【００６１】
そして、第３実施形態の医療用電子機器５０によれば、ロアケースに第１係止部を備え、電池蓋５１に第２係止部を備える。電池蓋５１が初期位置Ａ１にあるときに第１係止部および第２係止部を互いに係止させ、電池蓋５１が初期位置Ａ１から所定位置Ａ２までスライドしたときに第１係止部および第２係止部の係止を解除する。
これにより、電池蓋５１を、電池収納部１２を覆うためおよび電池収納部１２を露出させるために適用することにより、構造の簡素化を図ることができる。
【００６２】
なお、前記各実施形態で使用したロアケース１９、アッパーケース２０等は例示したものに限定するものではなく適宜変更が可能である。
【図面の簡単な説明】
【００６３】
【図１】本発明に係る第１実施形態の医療用電子機器の外部入力端子を含めた挿入孔側から視た外観斜視図
【図２】図１の医療用電子機器の単体外観斜視図
【図３】図１の医療用電子機器の電池蓋を開いた際の外観斜視図
【図４】図１の医療用電子機器の電池蓋を開いた際の電池蓋側から視た外観斜視図
【図５】図１の医療用電子機器の平面図
【図６】図１の医療用電子機器の内部構造を説明する平面図
【図７】図１の医療用電子機器に適用される電池蓋の単体外観斜視図
【図８】図１の医療用電子機器に適用される電池蓋ノブの単体外観斜視図
【図９】図１の医療用電子機器の動作を説明する外部入力端子の装着前の断面図
【図１０】図１の医療用電子機器の動作を説明する外部入力端子の装着後の断面図
【図１１】図１０の医療用電子機器の電池蓋ノブ周りの断面図
【図１２】図１の医療用電子機器の動作を説明する電池蓋ノブのスライド移動時の断面図
【図１３】図１２の医療用電子機器の電池蓋ノブ周りの断面図
【図１４】本発明に係る第２実施形態の医療用電子機器の平面図
【図１５】本発明に係る第３実施形態の医療用電子機器の平面図
【図１６】図１５の医療用電子機器に適用される電池蓋の外観斜視図
【符号の説明】
【００６４】
１  電池
２  外部入力端子
１０  医療用電子機器
１１  筺体
１２  電池収納部
１３  電池蓋
１４  電池蓋ノブ
１５  端部
１６  第１係止部（係止手段）
１７  第２係止部（係止手段）
１８  挿入孔
２６  電池接続用端子
２７  電池接続用端子
３３  接地用受側端子金具（受側端子）
３４  左信号用受側端子金具（受側端子）
３５  右信号用受側端子金具（受側端子）
４０  医療用電子機器
４２  第２係止部（係止手段）
５０  医療用電子機器
５１  電池蓋
【図１】
2010073393.tif 000003
【図２】
2010073393.tif 000004
【図３】
2010073393.tif 000005
【図４】
2010073393.tif 000006
【図５】
2010073393.tif 000007
【図６】
2010073393.tif 000008
【図７】
2010073393.tif 000009
【図８】
2010073393.tif 000010
【図９】
2010073393.tif 000011
【図１０】
2010073393.tif 000012
【図１１】
2010073393.tif 000013
【図１２】
2010073393.tif 000014
【図１３】
2010073393.tif 000015
【図１４】
2010073393.tif 000016
【図１５】
2010073393.tif 000017
【図１６】
2010073393.tif 000018